(57)【要約】      （修正有）【課題】組み立てプロセスを短縮し、組み立て効率を高め、市場競争力を強化することができるコード上ダイヤル調光スイッチを提供する。【解決手段】コード上ダイヤル調光スイッチ内に組み付ける回路板上に、調光可能省エネ蛍光灯及び調光可能ＬＥＤ電球と対応して使用されるスイッチ、ダイヤル３２、及び調光回路を設置する。ランプソケット上の調光可能省エネ蛍光灯及び調光可能ＬＥＤ電球の発光輝度を直接調整することができる。同時に二端コード接続台４０の設置により、極めて便利に電源コードを接続して設置できる。【選択図】図１
0003202272.tif 000002
【実用新案登録請求の範囲】
【請求項１】
コード上ダイヤル調光スイッチであって、ソケット体、蓋体、回路板及びコード接続台からなり、
前記ソケット体は、上方開空のハウジングで、内部には、大収容空間を形成し、左右両端の端部内には、それぞれ枢接枠を形成し、前記枢接枠内部は上下に貫通し、外側へと通じて収容空間を形成し、内側壁体内表面中央には、上下方向の形態を呈する分線突出棒を有し、両側には、承置槽をそれぞれ設置し、外側壁体外面上には、横方向に設置する係接突出棒を有し、前記内側壁体に隣接する二側壁体底縁には、枢接孔槽をそれぞれ開設し、
前記蓋体は、下方開空のハウジングで、前記ソケット体上に被せて蓋をすることができ、内部には、大収容空間を形成し、左右両端のいくらか内に入ったところには、隔離壁をそれぞれ形成し、前記隔離壁外側面中央には、外へと延伸する分位突出棒を設置し、前記蓋体の左右両端の端面上には、組み立て凹穴をそれぞれ形成し、
前記回路板上には、スイッチ及び調光回路及びダイヤルを設置し、前記スイッチ及び調光回路と前記ダイヤル間は、電気的連接作用を有し、前記ダイヤルは、前記回路板より高い位置にあり、しかも前記ダイヤルの外側辺縁は、回路板の辺縁より突出しており、前記回路板の左右両端には、収容凹穴をそれぞれ開設し、前記ソケット体両側の枢接枠にそれぞれ嵌め入れられ、前記収容凹穴上方には、前記スイッチ及び調光回路との間に電気的連接を有する導電板をそれぞれ一組設置し、その内側端はさらに、外部へと延伸し、導電尖端を形成し、前記導電尖端の上方には、導電尖爪板を形成し、
前記回路板を、前記ソケット体の大収容空間内に水平に入れると、両側の収容凹穴は、前記ソケット体両側の枢接枠にそれぞれ嵌め入れられ、しかも前記各導電板は、対応する承置槽内に挿入して設置され定位され、前記分線突出棒により同側の２個の導電板を隔離し、前記ダイヤルの外側辺縁は、前記ソケット体の高くなった定位板上方に位置し、
前記コード接続台の数は二個で、左右対称に設置し、前記各コード接続台の底壁内端の先端位置は、両側へと枢接軸をそれぞれ延伸し、前記ソケット体両側の枢接孔槽内にそれぞれ進入し、枢接状態を形成し、前記枢接軸上方には、内側壁体を設置し、その内側面上には、それぞれ上下に位置する一組の上助圧板及び下助圧板を設置し、
前記底壁の外端は上方へと延伸し、外側壁体を形成し、その内縁には、係接嵌合縁を形成し、前記内側壁体及び前記外側壁体間には、ブロック体を連接し、その内部には、前記内側壁体と前記外側壁体との間を貫通し、挿入設置孔槽を形成し、前記挿入設置孔槽の内面上には、分線突出棒を形成することを特徴とするコード上ダイヤル調光スイッチ。
【請求項２】
前記ソケット体四隅の頂点面には上下に貫通した穿孔をそれぞれ開設し、接合部材を下から上へと穿設し、周縁上には、内側が高く外側が低い段階面を有し、一部分には高くなった定位板を有し、
前記蓋体四隅の頂点面には、下方へと開空し、しかも内部に内ネジヤマを設置する螺合接続孔柱をそれぞれ設置し、位置は前記ソケット体の穿孔と相互に対応し、周縁上には、外側が高く内側が低い段階面を有し、前記ソケット体の段階面と相互に対応し、一部分が開空を呈する定位凹槽は、前記ソケット体の定位板と相互に対応し、前記蓋体内部には、数ヶ所の定位柱を有し、
前記蓋体は、その段階面により前記ソケット体の段階面に対応し、同時に前記蓋体の定位凹槽は、前記ソケット体の定位板に対応し、及び前記蓋体の螺合接続孔柱は、前記ソケット体の穿孔に対応し、及び前記蓋体の組み立て凹穴は、前記ソケット体の外側壁体の状態に対応し、前記ソケット体上に蓋をし、これによりダイヤルは一部分が蓋体とソケット体が密着する範囲の外に突出し、同時に前記蓋体内の定位柱は、回路板の表面を支え定位時、さらに前記各接合部材により、それぞれ下から上へと前記ソケット体の穿孔を通過し、前記蓋体の螺合接続孔柱と螺合して接続することを特徴とする請求項１に記載のコード上ダイヤル調光スイッチ。
【請求項３】
前記ソケット体内部には、数ヶ所が上方へと高くなった頂点保持住を有し、
前記回路板を、前記ソケット体の大収容空間内に水平に入れると、前記回路板の底面は、前記各頂点保持住上に安定的に位置し定位されることを特徴とする請求項１に記載のコード上ダイヤル調光スイッチ。
【請求項４】
前記コード接続台の枢接軸には、斜面を設置し、回転動作により前記ソケット体の枢接孔槽内に進入し、便利に枢接状態を形成できることを特徴とする請求項１に記載のコード上ダイヤル調光スイッチ。
【請求項５】
前記コード接続台の上助圧板の両側には、位置制限板をそれぞれさらに設置することを特徴とする請求項１に記載のコード上ダイヤル調光スイッチ。
【請求項６】
前記コード接続台の外側壁体の頂点内縁には、斜面を形成し、及びその下方には、穿孔を開設することを特徴とする請求項１に記載のコード上ダイヤル調光スイッチ。
【請求項７】
前記コード接続台の外側壁体上の係接嵌合縁は、前記穿孔の頂点内縁に形成されることを特徴とする請求項６に記載のコード上ダイヤル調光スイッチ。
【請求項８】
前記コード接続台の挿入設置孔槽内面上に形成される分線突出棒の最外端先端には、斜面を形成することを特徴とする請求項１に記載のコード上ダイヤル調光スイッチ。
【考案の詳細な説明】
【技術分野】
【０００１】
本考案はコード上ダイヤル調光スイッチに関し、特に連接するランプソケット上に設置される調光可能省エネ蛍光灯及び調光可能ＬＥＤ電球に対して直接調光でき、極めて便利に電源コードを接続して設置でき、組み立てプロセスを短縮し、組み立て効率を高め、市場競争力を強化することができるコード上ダイヤル調光スイッチに関する。
【背景技術】
【０００２】
照明装置は生活になくてはならない電気製品である。それは主に光を提供するが、照明装置には電気スタンド、ナイトライト、蛍光灯、シチュエーションライトなど様々なタイプがある。
従来の照明装置は、ランプ、及び連接されるコード上スイッチからなる。コード上スイッチは、回す、或いは押す、或いは押し動かす方式で操作し、照明装置をオン或いはオフすることで、照明装置中の発光部材を点灯或いは消灯させる。つまり、従来のコード上スイッチは、電流をオン（ＯＮ）及びオフ（ＯＦＦ）する作用のみを有し、照明装置中の発光部材の輝度を調整することはできない。
【０００３】
生活が多様化するにつれて、ランプソケットに対する発光輝度調整の要求が生まれている。市場ニーズに対応するため、調光可能なコード上調光スイッチが開発され、それが連接される照明装置中の電球の発光輝度を調整可能となっている。但し、従来のコード上調光スイッチは、ダイヤルを回す操作方式で、流れる電流の性質（例えば、電気抵抗）を調整することで、輝度の強弱を調整するものである。よって、消費電力が比較的高い白熱電球にしか適用できず、輝度が比較的高く、しかも省エネ効果が良好な省エネ蛍光灯或いはＬＥＤ電球に、適用することはできない。
【０００４】
テクノロジーの進歩に従い、発光部材も日進月歩の進歩を遂げており、現在では調光可能省エネ蛍光灯及び調光可能ＬＥＤ電球が開発されている。それらは、省エネ蛍光灯及びＬＥＤ電球内に、輝度を変えられるメカニズムをすでに取り付けてはいるが、前記従来のコード上ダイヤル調光スイッチは、新しいテクノロジーの調光可能省エネ蛍光灯及び調光可能ＬＥＤ電球と対応させて使用することはできない。よって、調光可能省エネ蛍光灯及び調光可能ＬＥＤ電球に対して使用可能なコード上ダイヤル調光スイッチを別に開発し、適用性を拡大し、消費者ニーズに応えなければならない。
【０００５】
さらに、従来のコード上スイッチ或いはコード上ダイヤル調光スイッチは、ソケット体、蓋体、及び内部に取り付けられる電源接続アセンブリからなる。電源コードを接続して設置する際には、組み立てボルトをまず緩めて蓋体をソケット体から取り外し、続いて、両端の電源コード先端を処理して露出端とした後、ソケット体内に挿入し、電源接続アセンブリと、ボルトを用いて螺接し、或いは溶接ガンを用いて溶接し、続いて、再び蓋体とソケット体とを合わせ、組み立てボルトを螺合し、電線を接続して設置する作業を完成させる。しかし、このような電線接続設置作業は実に煩雑であるため、組み立て効率が低く、市場競争力の強化に不利である。
【考案の概要】
【考案が解決しようとする課題】
【０００６】
本考案の主要な目的は、連接されるランプソケット上に設置される調光可能省エネ蛍光灯及び調光可能ＬＥＤ電球に対して直接調光可能であるコード上ダイヤル調光スイッチを提供することにある。
【０００７】
本発明のもう一つの目的は、便利に電線を接続して設置でき、組み立てプロセスを短縮し、組み立て効率を高め、市場競争力を強化することができるコード上ダイヤル調光スイッチを提供することにある。
【課題を解決するための手段】
【０００８】
上述目的を達成するために、本考案によるコード上ダイヤル調光スイッチは、ソケット体、蓋体、回路板及びコード接続台からなる。
該ソケット体は、上方開空のハウジングで、内部には、大収容空間を形成し、左右両端の端部内には、それぞれ枢接枠を形成し、該枢接枠内部は上下に貫通し、外側へと通じて収容空間を形成する。内側壁体内表面中央には、上下方向の形態を呈する分線突出棒を有し、両側には、承置槽をそれぞれ設置する。外側壁体外面上には、横方向に設置する係接突出棒を有し、該内側壁体に隣接する二側壁体底縁には、枢接孔槽をそれぞれ開設する。
該蓋体は、下方開空のハウジングで、該ソケット体上に被せて蓋をすることができ、内部には、大収容空間を形成し、左右両端のいくらか内に入ったところには、隔離壁をそれぞれ形成する。該隔離壁外側面中央には、外へと延伸する分位突出棒を設置する。該蓋体の左右両端の端面上には、組み立て凹穴をそれぞれ形成する。
該回路板上には、スイッチ及び調光回路及びダイヤルを設置し、該スイッチ及び調光回路と該ダイヤル間は、電気的連接作用を有し、該ダイヤルは、前記回路板より高い位置にあり、しかも該ダイヤルの外側辺縁は、回路板の辺縁より突出している。該回路板の左右両端には、収容凹穴をそれぞれ開設し、該ソケット体両側の枢接枠にそれぞれ嵌め入れられ、該収容凹穴上方には、該スイッチ及び調光回路との間に電気的連接を有する導電板をそれぞれ一組設置し、その内側端はさらに、外部へと延伸し、導電尖端を形成し、該導電尖端の上方には、導電尖爪板を形成する。
該回路板を、該ソケット体の大収容空間内に水平に入れると、両側の収容凹穴は、該ソケット体両側の枢接枠にそれぞれ嵌め入れられ、しかも該各導電板は、対応する承置槽内に挿入して設置され定位され、分線突出棒により同側の２個の導電板を隔離する。該ダイヤルの外側辺縁は、該ソケット体の高くなった定位板上方に位置する。
該コード接続台の数は二個で、左右対称に設置する。該各コード接続台の底壁内端の先端位置は、両側へと枢接軸をそれぞれ延伸し、該ソケット体両側の枢接孔槽内にそれぞれ進入し、枢接状態を形成する。該枢接軸上方には、内側壁体を設置し、その内側面上には、それぞれ上下に位置する一組の上助圧板及び下助圧板を設置する。
該底壁の外端は上方へと延伸し、外側壁体を形成し、その内縁には、係接嵌合縁を形成し、該内側壁体及び該外側壁体間には、ブロック体を連接し、その内部には、該内側壁体と該外側壁体との間を貫通し、挿入設置孔槽を形成する。該挿入設置孔槽の内面上には、分線突出棒を形成する。
【０００９】
本考案によるコード上ダイヤル調光スイッチにおいて、該ソケット体四隅の頂点面には上下に貫通した穿孔をそれぞれ開設し、接合部材を下から上へと穿設し、周縁上には、内側が高く外側が低い段階面を有し、一部分には高くなった定位板を有する。
該蓋体四隅の頂点面には、下方へと開空し、しかも内部に内ネジヤマを設置する螺合接続孔柱をそれぞれ設置する。その位置は該ソケット体の穿孔と相互に対応し、周縁上には、外側が高く内側が低い段階面を有し、該ソケット体の段階面と相互に対応する。一部分が開空を呈する定位凹槽は、該ソケット体の定位板と相互に対応し、該蓋体内部には、数ヶ所の定位柱を有する。
該蓋体は、その段階面により該ソケット体の段階面に対応し、同時に該蓋体の定位凹槽は、該ソケット体の定位板に対応し、及び該蓋体の螺合接続孔柱は、該ソケット体の穿孔に対応し、及び該蓋体の組み立て凹穴は、該ソケット体の外側壁体の状態に対応し、該ソケット体上に蓋をし、これによりダイヤルは一部分が蓋体とソケット体が密着する範囲の外に突出する。同時に、該蓋体内の定位柱は、該回路板の表面を支え定位する。さらに、該各接合部材により、それぞれ下から上へと該ソケット体の穿孔を通過し、該蓋体の螺合接続孔柱と螺合して接続する。
【００１０】
本考案によるコード上ダイヤル調光スイッチにおいて、該ソケット体内部には、数ヶ所が上方へと高くなった頂点保持住を有し、該回路板を、該ソケット体の大収容空間内に水平に入れると、該回路板の底面は、該各頂点保持住上に安定的に位置し定位される。
【００１１】
本考案によるコード上ダイヤル調光スイッチにおいて、該コード接続台の枢接軸には、斜面を設置し、回転動作により該ソケット体の枢接孔槽内に進入し、便利に枢接状態を形成できる。
【００１２】
本考案によるコード上ダイヤル調光スイッチにおいて、該コード接続台の上助圧板の両側には、位置制限板をそれぞれさらに設置する。
【００１３】
本考案によるコード上ダイヤル調光スイッチにおいて、該コード接続台の外側壁体の頂点内縁には、斜面を形成し、及びその下方には、穿孔を開設する。
【００１４】
本考案によるコード上ダイヤル調光スイッチにおいて、該コード接続台の外側壁体上の係接嵌合縁は、該穿孔の頂点内縁に形成される。
【００１５】
本考案によるコード上ダイヤル調光スイッチにおいて、該コード接続台の挿入設置孔槽内面上に形成される分線突出棒の最外端先端には、斜面を形成する。
【考案の効果】
【００１６】
本考案のコード上ダイヤル調光スイッチは、連接されるランプソケット上に設置される調光可能省エネ蛍光灯及び調光可能ＬＥＤ電球に対して直接の調光が可能で、さらに極めて便利に電線を接続して設置でき、組み立てプロセスを短縮し、組み立て効率を高め、市場競争力を強化することができる。
【図面の簡単な説明】
【００１７】
【図１】本考案実施形態の俯視角度外観立体図である。
【図２】本考案実施形態の仰視角度外観立体図である。
【図３】本考案実施形態立体分解図である。
【図４】本考案実施形態中底台の仰視角度立体図である。
【図５】本考案実施形態中底台の俯視図である。
【図６】本考案実施形態中蓋体の仰視角度立体図である。
【図７】本考案実施形態による回路板の俯視図である。
【図８】本考案実施形態中コード接続台の仰視角度立体図である。
【図９】本考案実施形態中コード接続台の俯視角度立体図である。
【図１０】本考案実施形態において、コード接続台により電源コードを接続して設置する過程の正面模式図である。
【図１１】本考案実施形態においてコード接続台により電源コードの接続設置を完成させた状態の正面模式図である。
【図１２】本考案実施形態においてコード接続台により電源コードの接続設置を完成させた状態の俯視模式図である。
【考案を実施するための形態】
【００１８】
以下に本考案の技術内容、構造特徴、達成する目的及び作用効果について、以下に例を挙げ並びに図面を組み合わせて詳細に説明する。
【００１９】
本考案実施形態によるコード上ダイヤル調光スイッチ１は、ソケット体１０、蓋体２０、回路板３０及びコード接続台４０からなる。
【００２０】
図１〜図５に示す通り、ソケット体１０は、上方開空のハウジングで、四隅の頂点面には上下に貫通した穿孔１０１をそれぞれ開設し、接合部材１０１１（例えば、ボルト）を下から上へと穿設し、周縁上には、内側が高く外側が低い段階面１０２を有する。一部分が高くなった定位板１０３は、内部に数ヶ所（例えば、三ヶ所）の上方へと高くなった頂点保持住１０４及び大収容空間１０５を形成する。
ソケット体１０の左右両端の端部内には、枢接枠１１をそれぞれ形成し、枢接枠１１内部は上下に貫通し、外側へと通じて収容空間１１１を形成する。内側壁体１１２内表面中央には、上下方向の形態を呈する分線突出棒１１２１を有し、両側には、承置槽１１２２をそれぞれ設置する。外側壁体１１３外面上には、横方向に設置する係接突出棒１１３１を有する。内側壁体１１２に隣接する二側壁体底縁には、枢接孔槽１１４をそれぞれ開設する（図４参照）。
【００２１】
図１〜図３及び６に示す通り、蓋体２０は、下方開空のハウジングで、四隅の頂点面には、下方へと開空し、しかも内部に内ネジヤマを設置する螺合接続孔柱２０１をそれぞれ設置する（図６参照）。その位置はソケット体１０の穿孔１０１と相互に対応し、周縁上には、外側が高く内側が低い段階面２０２を有し、その位置は、ソケット体１０の段階面１０２と相互に対応する。一部分が開空を呈する定位凹槽２０３の位置は、ソケット体１０の定位板１０３と相互に対応し、内部には、数ヶ所の定位柱２０４及び大収容空間２０５を形成する。
蓋体２０の左右両端のいくらか内に入ったところには、隔離壁２１をそれぞれ形成する。隔離壁２１外側面中央には、外へと延伸する分位突出棒２２を設置する。蓋体２０の左右両端の端面上には、組み立て凹穴２３をそれぞれ形成する。
【００２２】
図３及び図７に示す通り、回路板３０上には、スイッチ及び調光回路３１及び一ダイヤル３２を設置する。スイッチ及び調光回路３１とダイヤル３２との間は、電気的に連接され、ダイヤル３２を回すと、スイッチ及び調光回路３１のオン及びオフ、及びオン点とオフ点との間で、調光の回路作用を行うことができる。位置関係について言えば、ダイヤル３２は、回路板３０より高い位置にあり、しかもダイヤル３２の外側辺縁は、回路板３０の辺縁より突出している（図１、図７参照）。
回路板３０の左右両端には、収容凹穴３３をそれぞれ開設し、その大きさは、ソケット体１０両側の枢接枠１１をそれぞれ嵌めて固定することができる。収容凹穴３３上方には、スイッチ及び調光回路３１との間に電気的連接を有する一組の導電板３４をそれぞれ設置する。その内側端はさらに、外部へと延伸し、導電尖端３４１を形成する。導電尖端の上方には、導電尖爪板３４２を形成する。
【００２３】
図１〜図３及び図８、図９に示す通り、コード接続台４０の数は二個で、左右対称に設置する。各コード接続台４０の底壁４１内端の先端位置は、両側へと枢接軸４１１をそれぞれ延伸し、斜面を設置し、回転動作によりソケット体１０の枢接孔槽１１４内に進入し、便利に枢接状態を形成することができる。枢接軸４１１上方には、内側壁体４２を設置し、その内側面上には、それぞれ上下に位置する一組の上助圧板４２１及び下助圧板４２２を設置する。上助圧板４２１の両側には、位置制限板４２１１をそれぞれさらに設置する。
【００２４】
底壁４１の外端は上方へと延伸し、外側壁体４３を形成し、その頂点内縁には、斜面４３１を形成し、及びその下方には、穿孔４３２を開設する。斜面４３１により、力を加えて、コード接続台４０全体を動かし移動させ易くなる。穿孔４３２の頂点内縁には、係接嵌合縁４３３をさらに形成し、内側壁体４２と外側壁体４３との間には、ブロック体４４を連接し、その内部には、内側壁体４２と外側壁体４３との間を貫通し、挿入設置孔槽４５を形成する。挿入設置孔槽４５の内面上には、分線突出棒４５１を形成し、その最外端先端には、斜面４５２を形成する（図１、図８参照）。
【００２５】
組み立て時には、回路板３０を、ソケット体１０の大収容空間１０５内に水平に入れる。その過程においては、回路板３０両側の収容凹穴３３は、ソケット体１０両側の枢接枠１１にそれぞれ嵌め入れられる。同時に、これにより各導電板３４は、対応する承置槽１１２２内に挿入して設置され、定位される。よって、同側の２個の導電板３４間の間隙は、ソケット体１０の分線突出棒１１２１に沿って下降し、分線突出棒１１２１により同側の２個の導電板３４を隔離する。同時に、回路板３０の底面は、各頂点保持住１０４上に安定的に定位され、この時ダイヤル３２の外側辺縁は、無接触式で、ソケット体１０の高くなった定位板１０３上方に位置する。
【００２６】
続いて、両側のコード接続台４０をそれぞれその枢接軸４１１を回転させることで、ソケット体１０両側の枢接孔槽１１４内にそれぞれ入れる。これにより、各コード接続台４０は、枢接軸４１１を軸心とし、ソケット体１０と枢接の状態を形成する。この時、該各コード接続台４０の係接嵌合縁４３３は、ソケット体１０両側の係接突出棒１１３１とまだ係接を達成されていないため、重力作用により自然に下方へとオーバーハングする。
【００２７】
最後に、蓋体２０を、その段階面２０２により、ソケット体１０の段階面１０２に対応させる。同時に、その定位凹槽２０３は、ソケット体１０の定位板１０３に対応し、及びその螺合接続孔柱２０１はソケット体１０の穿孔１０１に対応し、及びその組み立て凹穴２３は、ソケット体１０の外側壁体１１３の状態に対応し、蓋体２０をソケット体１０上に被せて蓋をする。この時、蓋体２０の定位凹槽２０３は、無接触式に、ダイヤル３２の突出した部位を取り囲み、ダイヤル３２は一部分が蓋体２０とソケット体１０とが接触する範囲の外に突出する。同時に、蓋体２０内の定位柱２０４は、回路板３０の表面を補助的に支え定位する。しかも、蓋体２０内の隔離壁２１及び分位突出棒２２は、下方へとオーバーハングする。最後に、各接合部材１０１１（例えば、ボルト）によりそれぞれ下から上へと、ソケット体１０の穿孔１０１を通過し、さらに蓋体２０の螺合接続孔柱２０１と螺合して接続される。こうして、コード上ダイヤル調光スイッチ１全体の組み立てを完成させる。
【００２８】
使用時には、コード上ダイヤル調光スイッチ１両端のコード接続台４０は、それぞれ電源コードとの連接に用いられる。ここでいう電源コードは、二本コード体により組成され、各コード体は、内部の導線束、及び導線束を包む外側の紐縁ビニール層を有する。製造時には、二本コード体の紐縁ビニール層間は、通常は線状接着により一体に接着される。使用時には、二本コード体を先端から少し離し、線体先端の少しの紐縁ビニール層を剥がし易くし、これによりその少しの部分は、導線束が露出する露出端となり、電源接続導通作業に便利である。但し、線体先端を先に処理し露出端とし電源接続の便を図る作業は従来は必要であったが、本考案では、線体先端を先に処理し露出端とする必要はなく、それでもそのまま電源に接続し導通することができる。
【００２９】
図１０に示す通り、電源接続時には、各コード接続台４０が下方へと自然にオーバーハングした状態である時には、電源コードｗ（二本コード体）を各コード接続台４０の挿入設置孔槽４５より下から上へと（外から内へと）直接挿入して設置する。まず、電源コードｗの二本コード体間の線状接着は、挿入設置孔槽４５内の分線突出棒４５１最外端の斜面４５２に接触する。これにより、割裂され、二本コード体により前進する。この時、分線突出棒４５１は、電源コードｗの二本コード体を分離する。電源コードｗの二本コード体は、線体の先端が、蓋体２０の隔離壁２１及び分位突出棒２２位置に至るまで上方へと進入する。この時、各導電板３４の導電尖端３４１の一本の線体は、外壁にちょうどそれぞれ対応して接触するが、破くことはしない。
【００３０】
続いて、図１１〜１２に示す通り、コード接続台４０の係接嵌合縁４３３とソケット体１０の係接突出棒１１３１とが相互に係合接続するまで、コード接続台４０を、枢接軸４１１を軸心とし、上方へと偏った回転を行わせる。その過程においては、コード接続台４０は、電源コードｗを連動し、一緒に偏った回転を行わせ、或いは一緒に移動させる。挿入設置孔槽４５内になお止まっている線体は、挿入設置孔槽４５に従い偏った回転を行い、直立から水平状態となる。
【００３１】
一方、ソケット体１０の収容空間１１１内にすでに進入した線体は、コード接続台４０に従い、内側へと移動する。それは、コード接続台４０の上助圧板４２１及び下助圧板４２２が偏った回転を行うことで接触し、電源コードｗの線体を押して動かし内側へと移動させる。その過程においては、上助圧板４２１両側の位置制限板４２１１は、電源コードｗの二線体を保持する。しかも、ソケット体１０の分線突出棒１１２１は、電源コードｗの二線体を離れさせ、及び各導電板３４の導電尖爪板３４２は、それぞれ対応する線体を保持する。
【００３２】
最も重要なことは、電源コードｗの二線体は内側へと移動する過程において、各導電板３４の導電尖端３４１にそれぞれ対応して接触する点である。よって、各導電尖端３４１は動かないが、線体は押されて内側へと移動する状況下で、各導電尖端３４１は線体外の紐縁ビニール層を突いて破り、こうして線体内の導線束と導通の電気的連接を達成する。
【００３３】
よって、コード上ダイヤル調光スイッチ１両端のコード接続台４０は、それぞれ電源コードとの連接に用いられる。続いて、そのうちの一つの電源縁はさらにランプソケットと連接し、もう一つの電源コードは、電源（例えば、市内電源）と連接する。こうして、電源は、連接するコード接続台４０を経てコード上ダイヤル調光スイッチ１内に導入され、さらに回路板３０のスイッチ及び調光回路３１及びダイヤル３２の調光作用を経て、連接するランプソケット上に設置される調光可能省エネ蛍光灯或いは調光可能ＬＥＤ電球の発光輝度を調整することができる。
【００３４】
以上の説明によりわかるように、本考案はコード上ダイヤル調光スイッチ内に組み付ける回路板上に、調光可能省エネ蛍光灯及び調光可能ＬＥＤ電球と対応して使用されるスイッチ及び調光回路を設置することで、連接するランプソケットは、調光可能省エネ蛍光灯及び調光可能ＬＥＤ電球を、直接取り付けて使用可能とできる。こうして、コード上ダイヤル調光スイッチランプソケット上の調光可能省エネ蛍光灯及び調光可能ＬＥＤ電球の発光輝度を直接調整することができる。さらに、本考案は、各コード接続台により極めて便利に電線を接続できる進歩的な効果により、組み立てプロセスを短縮し、組み立て効率を高め、市場競争力を強化することができる。
【００３５】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００３６】
１  コード上ダイヤル調光スイッチ
１０  ソケット体
１０１  穿孔
１０１１  接合部材
１０２  段階面
１０３  定位板
１０４  頂点保持住
１０５  大収容空間
１１  枢接枠
１１１  収容空間
１１２  内側壁体
１１２１  分線突出棒
１１２２  承置槽
１１３  外側壁体
１１３１  係接突出棒
１１４  枢接孔槽
２０  蓋体
２０１  螺合接続孔柱
２０２  段階面
２０３  定位凹槽
２０４  定位柱
２０５  大収容空間
２１  隔離壁
２２  分位突出棒
２３  組み立て凹穴
３０  回路板
３１  スイッチ及び調光回路
３２  ダイヤル
３３  収容凹穴
３４  導電板
３４１  導電尖端
３４２  導電尖爪板
４０  コード接続台
４１  底壁
４１１  枢接軸
４２  内側壁体
４２１  上助圧板
４２１１  位置制限板
４２２  下助圧板
４３  外側壁体
４３１  斜面
４３２  穿孔
４３３  係接嵌合縁
４４  ブロック体
４５  挿入設置孔槽
４５１  分線突出棒
４５２  斜面
【図１】
0003202272.tif 000003
【図２】
0003202272.tif 000004
【図３】
0003202272.tif 000005
【図４】
0003202272.tif 000006
【図５】
0003202272.tif 000007
【図６】
0003202272.tif 000008
【図７】
0003202272.tif 000009
【図８】
0003202272.tif 000010
【図９】
0003202272.tif 000011
【図１０】
0003202272.tif 000012
【図１１】
0003202272.tif 000013
【図１２】
0003202272.tif 000014